【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
サーバ装置と接続される端末装置であって、
前記サーバ装置に対して、指定された文書データを印刷装置において印刷可能な印刷データに変換する変換要求を送信し、該変換要求に対応した受信応答を前記サーバ装置から受信するブラウザ手段と、
前記サーバ装置に対して、特定文書データに対する前記変換要求に応じて前記サーバ装置で実行される変換処理の進捗を問い合わせる進捗情報要求を送信し、該進捗情報要求に応じた進捗情報または前記変換処理後の印刷データを前記サーバ装置から受信する進捗確認手段とを備え、
前記ブラウザ手段は、前記受信応答を前記サーバ装置から受信すると、前記進捗確認手段に対して、前記変換要求で指定した文書データを前記特定文書データとして、前記変換処理の進捗の問い合わせを指示することを特徴とする端末装置。
【請求項２】
前記ブラウザ手段は、文書データの指定を受け付ける文書の指定手段を有し、
前記ブラウザ手段が前記進捗確認手段に対して前記変換要求で指定された文書データに対する前記変換処理の進捗の問い合わせを指示した後、前記文書の指定手段は新たな文書データの指定を受け付けることを特徴とする請求項１に記載の端末装置。
【請求項３】
前記サーバ装置から受信した印刷データを印刷するための印刷手段を更に備え、
前記サーバ装置は、前記変換要求に応じて、前記印刷手段により印刷可能な印刷データに前記文書データを変換することを特徴とする請求項１または２に記載の端末装置。
【請求項４】
前記ブラウザ手段は、要求を送信してから制限時間内に応答がない場合、その要求をエラーとして処理することを特徴とする請求項１乃至３のいずれか一項に記載の端末装置。
【請求項５】
端末装置と接続されるサーバ装置であって、
前記端末装置から、指定された文書データを印刷装置において印刷可能な印刷データに変換する変換要求を受信すると、該変換要求を受信した旨を示す受信応答を前記端末装置に送信する手段と、
前記変換要求を受信すると、前記変換要求に応じて前記文書データを前記印刷データに変換する変換処理を実行する変換手段と、
前記端末装置から、前記変換要求に応じた変換処理の進捗を問い合わせる進捗情報要求を受信すると、前記変換処理が完了している場合には、前記変換処理後の印刷データを前記端末装置に送信し、前記変換処理が完了していない場合には、前記変換処理の進捗に応じた進捗情報を前記端末装置に送信する手段と
を備えることを特徴とするサーバ装置。
【請求項６】
前記端末装置は、前記サーバ装置から受信した印刷データを印刷するための印刷手段を備え、
前記変換手段は、前記文書データを、前記印刷手段により印刷可能な印刷データに変換することを特徴とする請求項５に記載のサーバ装置。
【請求項７】
前記端末装置及びサーバ装置は文書データを保存した文書管理サーバと更に接続され、前記端末装置は、前記文書管理サーバにより保存された文書データの中から文書データを指定し、
前記サーバ装置は、前記端末装置で指定された文書データを前記指定された文書データとして前記文書管理サーバから取得する手段を更に備えることを特徴とする請求項５または６に記載のサーバ装置。
【請求項８】
前記端末装置は、要求を送信してから制限時間内に応答がない場合、その要求をエラーとして処理することを特徴とする請求項５乃至７のいずれか一項に記載のサーバ装置。
【請求項９】
請求項１乃至４のいずれか一項に記載の端末装置の各手段としてコンピュータを機能させるためのプログラム。
【請求項１０】
請求項５乃至８のいずれか一項に記載のサーバ装置の各手段としてコンピュータを機能させるためのプログラム。
【請求項１１】
１または複数のサーバ装置と端末装置とを通信ネットワークで接続した印刷システムであって、
前記１または複数のサーバ装置のひとつは、
前記端末装置から、指定された文書データを印刷装置において印刷可能な印刷データに変換する変換要求を受信すると、該変換要求を受信した旨を示す受信応答を前記端末装置に送信する手段と、
前記変換要求を受信すると、前記変換要求に応じて前記文書データを前記印刷データに変換する変換処理を実行する変換手段と、
前記端末装置から、前記変換要求に応じた変換処理の進捗を問い合わせる進捗情報要求を受信すると、前記変換処理が完了している場合には、前記変換処理後の印刷データを前記端末装置に送信し、前記変換処理が完了していない場合には、前記変換処理の進捗に応じた進捗情報を前記端末装置に送信する手段とを備え、
前記端末装置は、
前記１または複数のサーバ装置のひとつに対して、指定された文書データを印刷装置において印刷可能な印刷データに変換する変換要求を送信し、該変換要求に対応した受信応答を前記サーバ装置から受信するブラウザ手段と、
前記１または複数のサーバ装置のひとつに対して、特定文書データに対する前記変換要求に応じて前記サーバ装置で実行される変換処理の進捗を問い合わせる進捗情報要求を送信し、該進捗情報要求に応じた進捗情報または前記変換処理後の印刷データを前記１または複数のサーバ装置のひとつから受信する進捗確認手段とを備え、
前記ブラウザ手段は、前記受信応答を前記１または複数のサーバ装置のひとつから受信すると、前記進捗確認手段に対して、前記変換要求で指定した文書データを前記特定文書データとして、前記変換処理の進捗の問い合わせを指示することを特徴とする印刷システム。
【請求項１２】
前記通信ネットワークには文書データを保存した文書管理サーバが更に接続され、
前記端末装置は、前記文書管理サーバにより保存された文書データの中から文書データを指定し、
前記１または複数のサーバ装置のひとつは、前記端末装置で指定された文書データを前記指定された文書データとして前記文書管理サーバから取得する手段を更に備えることを特徴とする請求項１１に記載の印刷システム。
【請求項１３】
前記１または複数のサーバ装置と前記端末装置との間の要求と応答は、前記１または複数のサーバ装置から前記端末装置に対する要求を遮断するファイアウォールを介して交換されることを特徴とする請求項１１または１２に記載の印刷システム。
【請求項１４】
１または複数のサーバ装置と端末装置とを通信ネットワークで接続した印刷システムにおけるデータ変換方法であって、
前記端末装置のブラウザ手段が、前記サーバ装置に対して、指定された文書データを印刷装置において印刷可能な印刷データに変換する変換要求を送信する工程と、
前記１または複数のサーバ装置のひとつが、前記端末装置から、指定された文書データを印刷装置において印刷可能な印刷データに変換する変換要求を受信すると、該変換要求を受信した旨を示す受信応答を前記端末装置に送信し、前記変換要求に応じて前記文書データを前記印刷データに変換する変換処理の実行を開始する工程と、
前記端末装置のブラウザ手段が、前記変換要求に対応した受信応答を前記１または複数のサーバ装置のひとつから受信すると、前記端末装置の進捗確認手段に対して、前記変換要求で指定した文書データを特定文書データとして前記変換処理の進捗の問い合わせを前記サーバ装置に対して行うことを指示する工程と、
前記端末装置の前記進捗確認手段が、前記指示を受けて、前記１または複数のサーバ装置のひとつに対して、特定文書データに対する前記変換要求に応じて前記サーバ装置で実行される変換処理の進捗を問い合わせる進捗情報要求を送信する工程と、
前記１または複数のサーバ装置のひとつが、前記端末装置の前記進捗確認手段から前記変換要求に応じた変換処理の進捗を問い合わせる進捗情報要求を受信すると、前記変換処理が完了している場合には、変換処理後の印刷データを前記端末装置の前記進捗確認手段に送信し、前記変換処理が完了していない場合には、前記変換処理の進捗に応じた進捗情報を前記端末装置の前記進捗確認手段に送信する工程と、
前記端末装置の前記進捗確認手段が、前記進捗情報要求に応じた進捗情報または前記変換処理後の印刷データを前記１または複数のサーバ装置のひとつから受信する進捗確認工程と
を有することを特徴とする方法。
【手続補正２】
【補正対象書類名】明細書
【補正対象項目名】００１３
【補正方法】変更
【補正の内容】
【００１３】
あるいは、端末装置と接続されるサーバ装置であって、
前記端末装置から、指定された文書データを印刷装置において印刷可能な印刷データに変換する変換要求を受信すると、該変換要求を受信した旨を示す受信応答を前記端末装置に送信する手段と、
前記変換要求を受信すると、前記変換要求に応じて前記文書データを前記印刷データに変換する変換処理を実行する変換手段と、
前記端末装置から、前記変換要求に応じた変換処理の進捗を問い合わせる進捗情報要求を受信すると、前記変換処理が完了している場合には、前記変換処理後の印刷データを前記端末装置に送信し、前記変換処理が完了していない場合には、前記変換処理の進捗に応じた進捗情報を前記端末装置に送信する手段とを備える。
【手続補正３】
【補正対象書類名】明細書
【補正対象項目名】００１４
【補正方法】変更
【補正の内容】
【００１４】
あるいは、１または複数のサーバ装置と端末装置とを通信ネットワークで接続した印刷システムであって、
前記１または複数のサーバ装置のひとつは、
前記端末装置から、指定された文書データを印刷装置において印刷可能な印刷データに変換する変換要求を受信すると、該変換要求を受信した旨を示す受信応答を前記端末装置に送信する手段と、
前記変換要求を受信すると、前記変換要求に応じて前記文書データを前記印刷データに変換する変換処理を実行する変換手段と、
前記端末装置から、前記変換要求に応じた変換処理の進捗を問い合わせる進捗情報要求を受信すると、前記変換処理が完了している場合には、前記変換処理後の印刷データを前記端末装置に送信し、前記変換処理が完了していない場合には、前記変換処理の進捗に応じた進捗情報を前記端末装置に送信する手段とを備え、
前記端末装置は、
前記１または複数のサーバ装置のひとつに対して、指定された文書データを印刷装置において印刷可能な印刷データに変換する変換要求を送信し、該変換要求に対応した受信応答を前記１または複数のサーバ装置のひとつから受信するブラウザ手段と、
前記１または複数のサーバ装置のひとつに対して、特定文書データに対する前記変換要求に応じて前記サーバ装置で実行される変換処理の進捗を問い合わせる進捗情報要求を送信し、該進捗情報要求に応じた進捗情報または前記変換処理後の印刷データを前記１または複数のサーバ装置のひとつから受信する進捗確認手段とを備え、
前記ブラウザ手段は、前記受信応答を前記１または複数のサーバ装置のひとつから受信すると、前記進捗確認手段に対して、前記変換要求で指定した文書データを前記特定文書データとして、前記変換処理の進捗の問い合わせを指示する。